(57)【特許請求の範囲】
【請求項１】
弾性復元力を有する可撓性材質で筒状に成型され袋状容器の開口縁の内側に密着嵌合される筒状開口保持具本体を備え、
この開口保持具本体の周面に内方に向かって変形可能な撓み部を形成する周方向の切り溝を、この開口保持具本体の上面開口縁より下側に形成し、
この開口保持具本体の上面開口縁の一側部には、この開口保持具本体の上面開口部を閉塞する蓋体がヒンジにて開閉自在に取付けられている
ことを特徴とした袋状容器の開口保持具。
【請求項２】
開口保持具本体の周面に形成した切り溝は、この開口保持具本体の周面に周方向に間隔をもって複数個所に形成したことを特徴とした請求項１記載の袋状容器の開口保持具。
【請求項３】
開口保持具本体の外周面に袋状容器の内面に圧着する突起状の滑り止め部を形成したことを特徴とした請求項１または２記載の袋状容器の開口保持具。
【請求項４】
開口保持具本体の下面開口縁に周方向に間隔をもって複数個所に下方に向かって支持脚部を突設したことを特徴とした請求項１ないし３のいずれかに記載の袋状容器の開口保持具。
【発明の詳細な説明】
【０００１】
【発明の属する技術分野】
本発明は、例えばウェットティッシュ、清浄綿、菓子類などを収納した袋状容器に開口縁に嵌着する袋状容器の開口保持具に関する。
【０００２】
【従来の技術】
従来、例えばウェットティッシュ、清浄綿などを収納した袋状容器は開封した状態では、開口部は偏平状になって閉じられた状態になっており、被収納物を取り出し、収納する際には開口部を押し拡げなくてはならず、被収納物の出し入れの作業が煩雑であった。
【０００３】
また、開封された開口部の閉止もそのままではできず、クリップなどで袋状容器に開口部の内面に凹溝状係合部と突起条係合部とを係合するファスナーが設けられている袋状容器も用いられているが、ファスナーの凹溝状係合部と突起条係合部とを係合する作業も簡単にできない問題があった。
【０００４】
【発明が解決しようとする課題】
従来の袋状の容器は、開口部は偏平状になって閉じられた状態のため、被収納物の出し入れに際しては、開口部を拡げた状態に保持しなくてはならず、被収納物の出し入れ作業が煩雑なため、被収納物の出し入れが容易にできるように開口部が開口した状態に保持できる袋状容器が要求されていた。
【０００５】
本発明は上記問題点に鑑みなされたもので、袋状容器の開口縁が開口された状態に保持され、被収納物の出し入れが容易にできるようにした袋状容器の開口保持具を提供するものである。
【０００６】
【課題を解決するための手段】
請求項１記載の発明の袋状容器の開口保持具は、弾性復元力を有する可撓性材質で筒状に成型され袋状容器の開口縁の内側に密着嵌合される筒状開口保持具本体を備え、この開口保持具本体の周面に内方に向かって変形可能な撓み部を形成する周方向の切り溝を、この開口保持具本体の上面開口縁より下側に形成し、この開口保持具本体の上面開口縁の一側部には、この開口保持具本体の上面開口部を閉塞する蓋体がヒンジにて開閉自在に取付けられているものである。
【０００７】
そして、袋状容器の開口縁に開口保持具本体を嵌合するときには、切り溝にて形成された撓み部を内方に撓ませ、開口保持具本体の外形形状を小さくすることにより、開口保持具本体は袋状容器の開口部の内側に容易に嵌合でき、この開口保持具本体を袋状容器の開口部に嵌合した状態で、弾性復元力を利用して撓み部を復元させることにより、開口保持具本体の外周面は袋状容器の内面に密着されて開口部に嵌着され、袋状容器は開口部が開口された状態に保持されるため、袋状容器から容易に被収納物を出し入れできる。
【０００８】
また、開口保持具本体の切り溝を上面開口縁より下側に形成したため、この開口保持具本体を袋状容器の開口部に嵌合した状態で、袋状容器に開口保持具本体を押し込み、切り溝の部分が袋状容器にて覆われるようにするとともに蓋体も開口保持具本体の上面開口縁にシーリング材などを用いて気密に閉止できることによって袋状容器の上面開口部の気密性を保持でき、そのまま蓋体にて開口部を閉止できる。
【０００９】
請求項２記載の発明の袋状容器の開口保持具は、請求項１記載の袋状容器の開口保持具において、開口保持具本体の周面に形成した切り溝は、この開口保持具本体の周面に周方向に間隔をもって複数個所に形成したものである。
【００１０】
そして、開口保持具本体の複数個所に形成した切り溝にて形成される撓み部をそれぞれ内側に撓ませて袋状容器の開口部に容易に嵌着でき、特に開口部の面積が大きい袋状容器にも容易に嵌合できる。
【００１１】
請求項３記載の発明の袋状容器の開口保持具は、請求項１または２記載の袋状容器の開口保持具において、開口保持具本体の外周面に袋状容器の内面に圧着する突起状の滑り止め部を形成したものである。
【００１２】
そして、袋状容器の開口部に嵌着された開口保持具本体は外周面に形成された突起状の滑り止め部が袋状容器の内面に圧着され、開口保持具本体は抜け外れることがなく、確実に嵌着された状態に保持される。
【００１３】
請求項４記載の発明の袋状容器の開口保持具は、請求項１ないし３のいずれかに記載の袋状容器の開口保持具において、開口保持具本体の下面開口縁に周方向に間隔をもって複数個所に下方に向かって支持脚部を突設したものである。
【００１４】
そして、袋状容器の開口部に開口保持具本体を嵌着することにより、複数個所の支持脚部が支えとなって袋状容器は開口部を上方にした状態に保持でき、袋状容器を手で支えることなく被収納物を容易に出し入れできる。
【００１５】
【発明の実施の形態】
本発明の袋状容器の開口保持具の一実施の形態を図１ないし図３に基づいて説明する。
【００１６】
合成樹脂シート、フィルムなどで成型された袋状容器１の開口縁２の内側に嵌合される開口保持具本体３は、ＰＰ樹脂、ＰＥ樹脂、合成ゴムなどの樹脂またはばね板などの金属板など弾性復元力を有する可撓性材質で円筒状に成型されている。この開口保持具本体３の外周長は前記袋状容器１の開口縁２の内側に密着嵌合されるように、この袋状容器１の開口縁２の内周長と略同一長さに形成されている。
【００１７】
そして、この開口保持具本体３の周面の一部には内方に向かって変形可能な撓み部４を形成する周方向の切り溝５がこの開口保持具本体３の上面開口縁６に近接して設けられている。
【００１８】
さらに、前記開口保持具本体３の外周面に袋状容器１の内面に圧着する環形突起状の滑り止め部７が上下に一ないし五つ程度の複数形成されている。
【００１９】
また、前記開口保持具本体３の上面開口縁６の一側部には、この開口保持具本体３の上面開口面を閉塞する円板状の蓋体８がヒンヂ９にて開閉自在に取付けられいてる。このヒンヂ９は蓋体８の一側部から突設した一対の弾性片10に軸部がそれぞれ形成され、この一対の弾性片10に軸部が前記開口保持具本体３の上面開口縁６の一側部に突設した一対の支持片11の軸孔に回動自在に軸支されて構成されている。
【００２０】
さらに、前記開口保持具本体３の上面開口縁６のヒンヂ９に対向する他側部には、係合摘み爪片12が突設され、前記蓋体８のヒンヂ９に対向する他側部には前記開口保持具本体３の係合摘み爪片12に係脱自在に係合する係合摘み爪片13が突設されている。なお、この蓋体８は開口保持具本体３の材質とは別の材質、例えば硬質の合成樹脂などで成型して保形性を高めることもできる。
【００２１】
次にこの実施の形態の作用を説明する。
【００２２】
まず、袋状容器１の開口縁２に開口保持具本体３を嵌合するときには、開口保持具本体３の切り溝５にて形成された撓み部４を内方に押し込んで撓ませ、開口保持具本体３の外形形状を小さくし、この外径長が短くなったままの状態で開口保持具本体３を袋状容器１の開口部の内側に嵌合する。
【００２３】
そして、この開口保持具本体３を袋状容器１の開口部に嵌合した状態で、図１に鎖線で示すように、撓み部４を弾性復元力を利用して外方に向かって復元させることにより、開口保持具本体３の外周面は袋状容器１の内面に密着されて開口部に嵌着され、袋状容器１は開口部が開口された状態に保持され、袋状容器１には開口部から容易に被収納物を出し入れできる。
【００２４】
また、袋状容器１の開口部に嵌着された開口保持具本体３は外周面に形成された突起状の滑り止め部７が袋状容器１の内面に圧着され、開口保持具本体３は袋状容器１から抜け外れることなく、嵌着された状態に保持される。
【００２５】
さらに、この開口保持具本体３はヒンヂ９にて蓋体８が開閉自在に取付けられ、この蓋体８は開口保持具本体３の上面開口縁６の係合摘み爪片12とこの蓋体８の係合摘み爪片13とを係脱することにより開閉でき、袋状容器１の開口部に開口保持具本体３を嵌着することにより、図２に示すように、開口部を開口した状態に保持して被収納物の出し入れができるとともに、そのまま蓋体８にて開口部を閉止できる。
【００２６】
なお、開口保持具本体３の切り溝５を上面開口縁６より下側に形成し、この開口保持具本体３を袋状容器１の開口部に嵌合した状態で、袋状容器１に開口保持具本体３を押し込み、切り溝５の部分が袋状容器１にて覆われるようにするとともに蓋体８も開口保持具本体３の上面開口縁６にシーリング材などを用いて気密に閉止できることによって袋状容器１の上面開口部の気密性を保持できる。
【００２７】
次に、他の実施の形態を図４に基づいて説明する。
【００２８】
この実施の形態は、前記実施の形態において、蓋体８を円板状に形成したが、この蓋体８は、偏平筒状に形成した構造で、他の構成は、前記実施の形態と同一である。
【００２９】
また、この蓋体８は閉止したとき、この蓋体８の周縁部は開口保持具本体３の上面開口縁６と接合されるようになっている。
【００３０】
この実施の形態では、蓋体８は変形しにくく、板状の蓋体に比して保形性に優れている。
【００３１】
また、図５に示すように、蓋体８は二分割した半円形状に形成した一対の蓋部材8a，8aにて形成し、この一対の蓋部材8a，8aを開口保持具本体３の上面開口縁６にヒンヂ（図示せず）にてそれぞれ開閉自在に取付ける。
【００３２】
この実施の形態では、袋状容器１の開口面が広い場合に、袋状容器１の開口面の全てを開く必要がないときには、一方の蓋部材8aのみを開くのみで、被収納物を出し入れできる。
【００３３】
次に他の実施の形態を図６に基づいて説明する。
【００３４】
この実施の形態では、前記実施の形態において、開口保持具本体３の周面に設けた切り溝５は、この開口保持具本体３の周面に周方向に間隔をもって同一円周上に位置して複数個所、例えば、左右に相対向して形成した二個所に形成し、他の構成は、前記実施の形態と同一構成である。
【００３５】
そして、この実施の形態では、図６鎖線に示すように、開口保持具本体３を両側から指で挟み込むように、切り溝５にて形成された撓み部４を内方に押込んだ状態で袋状容器１の開口部に嵌合し、撓み部４を弾性復元力を利用して外方に向かって復元させることにより、撓み部４が袋状容器の内面に密着して袋状容器の開口部に開口保持具本体３を取付けることができる。
【００３６】
特に、この実施の形態では、開口部の面積が大きい袋状容器１に嵌着する径の大きい開口保持具本体３でも、外形形状を大幅に小さくして容易に袋状容器１に嵌着できる。
【００３７】
なお、図６には蓋体８は図示していないが、図１または図５に示す蓋体８をヒンヂにて開口保持具本体３の上面開口縁６に開閉自在に取付けることもできる。
【００３８】
また、開口保持具本体３は円筒状に限らず、図７に示すように、開口保持具本体３の上面開口縁６の形状を略楕円筒状に形成し、開口保持具本体３の上面開口縁６にヒンヂ９にて取付ける蓋体８も開口保持具本体３の上面開口縁部の形状に合わせた略楕円筒状に形成することもできる。
【００３９】
なお、この実施の形態では、切り溝５は、開口保持具本体３の長径側の周面に形成することにより、外形形状を短くでき、容易に袋状容器に収納することができる。
【００４０】
また、図８に示すように、開口保持具本体３は、上面開口縁部の形状を角形、例えば、矩形形状に形成し、開口保持具本体３の上面開口縁６にヒンヂ９にて取付ける蓋体８も開口保持具本体３の上面開口縁部の形状に合わせた角形形状に形成することもできる。
【００４１】
また、この実施の形態では、切り溝５は、開口保持具本体３の角部に形成することにより、外形形状を短くでき、容易に袋状容器に収納することができる。
【００４２】
また、開口保持具本体は図１に示すように外周面に形成された突起状の滑り止め部７は外周面の周方向に沿って環状に形成する構成に限らず、図９に示すように、開口保持具本体３の外周面の周方向に沿って突設した多数の小突起15にて突起状の滑り止め部７を形成することもできる。
【００４３】
この実施の形態では、滑り止め部７の多数の小突起15が袋状容器１の開口縁２の内面に圧着され、開口保持具本体３は袋状容器１から抜け外れることがなく、確実に嵌着された状態に保持される。
【００４４】
また、図１０に示すように、開口保持具本体３の外周面の周方向に沿って突設した網状に突設した突条16にて突起状の滑り止め部７を形成することもできる。
【００４５】
この実施の形態でも、滑り止め部７の網条の突条16が袋状容器の開口縁の内面に圧着され、開口保持具本体３は袋状容器から抜け外れることがなく、確実に嵌着された状態に保持される。
【００４６】
さらに、他の実施の形態を図１１および図１２に基づいて説明する。
【００４７】
この実施の形態では、袋状容器１の開口縁２の内側に嵌合される開口保持具本体３は、外周長が前記袋状容器１の開口縁２の内側に密着嵌合されるようにこの袋状容器１の開口縁の内周長と略同一長さを有し弾性復元力を有する可撓性材質で円筒状に成型されている。
【００４８】
そして、この開口保持具本体３の周面には内方に向かって変形する撓み部４を形成する周方向の切り溝５が同一円周上に位置して複数箇所にこの開口保持具本体３の上面開口縁６に近接して設けられている。
【００４９】
さらに、この開口保持具本体３の切り溝５が形成されたこの開口保持具本体３の外周面には前記各切り溝５の下方に位置して先端に径大部17を有する係合突起18をそれぞれ突設し、さらにこの開口保持具本体３の下面開口縁から下方に向かって折り曲げ可能な係止片19をそれぞれ突設する。この各係止片19には前記係合突起18を挿通係止する係止孔20をそれぞれ形成する。
【００５０】
また、前記開口保持具本体３の開口縁の一側部には、この開口保持具本体３の上面開口面を閉塞する円板状の蓋体８がヒンヂ９にて開閉自在に取付けられいてる。このヒンヂ９は蓋体８の一側部から突設した一対の弾性片10に軸部がそれぞれ形成され、この一対の弾性片10に軸部が前記開口保持具本体３の上面開口縁６の一側部に突設した一対の支持片11の軸孔に回動自在に軸支されて構成されている。
【００５１】
さらに、前記開口保持具本体３の開口縁６のヒンヂ９に対向する他側部には、係合摘み爪片12が突設され、前記蓋体８のヒンヂ９に対向する他側部には前記開口保持具本体３の係合摘み爪片12に係脱自在に係合する係合摘み爪片13が突設されている。
【００５２】
また、前記袋状容器１の開口縁の近傍に、前記開口保持具本体３の外周面に形成した係合突起18をそれぞれ挿通する係合孔21を形成し、さらに、この係合孔21の下方に位置して前記開口保持具本体３の各係止片19をそれぞれ挿通する挿通孔22をそれぞれ形成する。
【００５３】
次にこの実施の形態の作用を説明する。
【００５４】
まず、袋状容器１の開口縁２に開口保持具本体３を嵌合するときには、開口保持具本体３の切り溝５にて形成された撓み部４を内方に押し込んで撓ませ、開口保持具本体３の外形形状を小さくし、この外径長が短くなったままの状態で係合突起18の位置を袋状容器１の係合孔21の位置に合せてこの開口保持具本体３を袋状容器１の開口部の内側に嵌合する。
【００５５】
そして、この開口保持具本体３を袋状容器１の開口部に嵌合した状態で、撓み部４を弾性復元力を利用して外方に向かって復元させることにより、開口保持具本体３の外周面は袋状容器１の内面に密着されて開口部に嵌着するとともに各係合突起17が袋状容器１の係合孔21にそれぞれ挿通される。
【００５６】
さらに、図１２に示すように、開口保持具本体３の各係止片19を袋状容器１の各挿通孔21に内側から挿通し、この各係止片19を上方に向かって折り曲げ、この各係止片19の係止孔20を袋状容器１の外側に突出している係合突起18にそれぞれ嵌合する。この状態で係合突起18の径大部17が各係止片19の係止孔20に係止され、開口保持具本体３は抜け外れることなく袋状容器１の開口部に取付けられ、開口保持具本体３が上面開口部が開口された状態に保持され、袋状容器１には開口部から容易に被収納物を出し入れできる。
【００５７】
さらに、この開口保持具本体３は、ヒンヂ９にて開閉自在に取付けられた蓋体８は開口保持具本体３の上面開口縁６の係合摘み爪片12とこの蓋体８の係合摘み爪片13とを係脱することにより開閉でき、袋状容器１の開口部に開口保持具本体３を嵌着することにより、開口部を開口した状態に保持して被収納物の出し入れができるとともに、そのまま蓋体８にて開口部を閉止できる。
【００５８】
さらに、前記各実施の形態において、例えば、図１に示す構成において、図１３に示すように、開口保持具本体３の下面開口縁に周方向に間隔をもって複数個所に下面開口縁から下方に向かって支持脚部23を延出突設する。
【００５９】
この実施の形態では、袋状容器１の開口部に開口保持具本体３を嵌着することにより、袋状容器１内において複数個所の支持脚部23が支えとなって袋状容器１は開口部を上方にした状態に保持でき、袋状容器１を手で支えることなく被収納物を容易に出し入れできる。
【００６０】
また、図１４に示すように、開口保持具本体３の下面開口縁に周方向に間隔をもって複数個所に下方に向かって突設する支持脚部23をパイプ状に形成し、袋状容器１の支持を安定させることもできる。
【００６１】
また、前記各実施の形態において、開口保持具本体３の上面開口縁６に蓋体８を開閉自在に取付けるヒンヂ９は前記構成に限らず、例えば、薄肉ヒンヂにて蓋体８を開口保持具本体３と一体に成型することもできる。
【００６２】
なお、前記各実施の形態において、開口保持具本体３の上面開口縁６にヒンヂ９にて蓋体８を開閉自在に取付けた構成としたが、蓋体８は必ずしも必要でなく、袋状容器１の上面開口部を開口した状態に保持して被収納物の出し入れを容易にする機能のみとするときには、蓋体は必要ない。
【００６３】
また、前記各実施の形態における開口保持具本体３の上面開口縁６にヒンヂ９にて蓋体８を開閉自在に取付けた開口保持具本体３を缶などの容器の上面開口部に装着することにより缶などの容器の上面開口部を閉止する蓋体を簡単に取付けることができる。
【００６４】
なお、開口保持具本体３の高さ寸法は袋状容器１の開口面積などに応じて気密に嵌合できる長さであればよく、例えば５〜50mm程度とする。
【００６５】
【発明の効果】
請求項１記載の発明によれば、蓋体の開口部を開口した状態に保持するために、袋状容器の開口縁に開口保持具本体を嵌合するときには、切り溝にて形成された撓み部を内方に撓ませ、開口保持具本体の外形形状を小さくすることにより、開口保持具本体は袋状容器の開口部の内側に容易に嵌合でき、この開口保持具本体を袋状容器の開口部に嵌合した状態で、撓み部を弾性復元力を利用して復元させることにより、開口保持具本体の外周面は袋状容器の内面に密着されて開口部に容易に嵌着でき、袋状容器は開口部が開口された状態に保持され、袋状容器に容易に被収納物を出し入れできるようにすることができる。
【００６６】
また、袋状容器の開口部は、そのまま蓋体にて開口部を閉止でき、開口保持具本体の上面開口縁は変形しないので確実に蓋体にて閉塞できる。
【００６７】
請求項２記載の発明によれば、開口保持具本体の複数個所に形成した切り溝にて形成される撓み部をそれぞれ内側に撓ませて袋状容器の開口部に容易に嵌着でき、特に開口部の面積が大きい袋状容器にも容易に嵌合できる。
【００６８】
請求項３記載の発明によれば、袋状容器の開口部に嵌着された開口保持具本体は外周面に形成された突起状の滑り止め部が袋状容器の内面に圧着され、開口保持具本体は抜け外れることがなく、確実に嵌着された状態に保持される。
【００６９】
請求項４記載の発明によれば、袋状容器の開口部に開口保持具本体を嵌着することにより、複数個所の支持脚部が支えとなって袋状容器は開口部を上方にした状態に保持でき、袋状容器を手で支えることなく被収納物を容易に出し入れできる。
【図面の簡単な説明】
【図１】  本発明の袋状容器の開口保持具の一実施の形態を示す斜視図である。
【図２】  同上開口保持具を袋状容器に取付けた状態を示す斜視図である。
【図３】  同上開口保持具を袋状容器に取付けた状態を示す平面図である。
【図４】  本発明の袋状容器の開口保持具の他の実施の形態を示す斜視図である。
【図５】  本発明の袋状容器の開口保持具のさらに他の実施の形態を示す斜視図である。
【図６】  本発明の袋状容器の開口保持具の他の実施の形態を示す斜視図である。
【図７】  本発明の袋状容器の開口保持具の他の実施の形態を示す平面図である。
【図８】  本発明の袋状容器の開口保持具の他の実施の形態を示す平面図である。
【図９】  本発明の袋状容器の開口保持具の他の実施の形態を示す斜視図である。
【図１０】  本発明の袋状容器の開口保持具のさらに他の実施の形態を示す斜視図である。
【図１１】  本発明の袋状容器の開口保持具の他の実施の形態を示す斜視図である。
【図１２】  同上開口保持具を袋状容器に取付けた状態の係止部の断面図である。
【図１３】  本発明の袋状容器の開口保持具の他の実施の形態を示す斜視図である。
【図１４】  本発明の袋状容器の開口保持具の他の実施の形態を示す平面図である。
【符号の説明】
１    袋状容器
２    袋状容器１の開口縁
３    開口保持具本体
４    撓み部
５    切り溝
６    開口保持具本体３の上面開口縁
７    滑り止め部
８    蓋体
９    ヒンヂ
23    支持脚部
【図１】
0003827873.tif 000002
【図２】
0003827873.tif 000003
【図３】
0003827873.tif 000004
【図４】
0003827873.tif 000005
【図５】
0003827873.tif 000006
【図６】
0003827873.tif 000007
【図７】
0003827873.tif 000008
【図８】
0003827873.tif 000009
【図９】
0003827873.tif 000010
【図１０】
0003827873.tif 000011
【図１１】
0003827873.tif 000012
【図１２】
0003827873.tif 000013
【図１３】
0003827873.tif 000014
【図１４】
0003827873.tif 000015